(57)【特許請求の範囲】
【請求項１】
出発地空港における手荷物預け入れシステムと、到着地空港における手荷物受け取りシステムと手荷物照合システムとを具備し、前記手荷物預け入れシステムは、月日と航空便名と出発地名と到着地名と識別番号とからなる識別データをライトおよびリードすることができ送受信回路を有するトランスポンダタグと、前記識別データをライトおよびリードすることができ、かつ、位置データを表示するための位置データ表示部を有すると共に送受信回路を有するメモリチップと、前記識別データを入力するための識別データ入力装置と、この識別データ入力装置により入力される複数の前記識別データを一時的に記憶してこれらの識別データを順次に送り出す第１のコンピュータと、この第１のコンピュータから送り出される前記識別データを送信して前記トランスポンダタグおよび前記メモリチップに接触しないでライトする送信回路を有する識別データライト装置とを有し、前記手荷物受け取りシステムは、手荷物を載置された状態で一定方向へ移動する手荷物ターンテーブルと、この手荷物ターンテーブルの近くに配置され前記メモリチップに接触しないでこのメモリチップの識別データをリードするチップデータリード装置と、前記手荷物ターンテーブルの受け取り領域を複数の領域に区割りするために配置され区割り符号を付された複数の区割りゲートと、これらの区割りゲートの近くを手荷物が通過する時にこの手荷物に取り付けられた前記トランスポンダタグの識別データをリードする複数のタグデータリード装置と、前記チップデータリード装置からの識別データと前記タグデータリード装置からの識別データに基いて手荷物がどの２つの区割りゲートの間に位置するかを判断してこの判断結果である位置データを生成する第２のコンピュータと、この第２のコンピュータからの位置データを前記メモリチップの位置データ表示部に表示させる位置データ送信装置とを有し、前記手荷物照合システムは、前記手荷物に取り付けられたトランスポンダタグの識別データと前記メモリチップの識別データとをリードする照合データリード装置と、この照合データリード装置からの前記トランスポンダタグの識別データと前記メモリチップの識別データとが一致するか否かを判断してこの判断結果である照合結果データを生成する第３のコンピュータと、この第３のコンピュータの照合結果データを表示する照合結果表示装置とを有することを特徴とする空港用手荷物管理システム。
【請求項２】
請求項１に記載の空港用手荷物管理システムにおいて、前記メモリチップに、手荷物を受け取りたい領域がどの２つの区割りゲートの間であるかを示す受け取り区域データを前記メモリチップに入力する受け取り区域データ入力装置と、ブザー音を発生するブザー音発生装置とを付加し、前記手荷物受け取りシステムは、ブザー音発生信号を送出するブザー音発生信号送出装置を有し、前記チップデータリード装置が前記チップメモリの受け取り区域データをリドして前記第２のコンピュータに与え、この第２のコンピュータが前記受け取り区域データが示す領域に手荷物が位置しているか否かを判断して前記受け取り区域データが示す領域に手荷物が位置している時にブザー音発生指令信号を生成し、かつ、前記ブザー音発生信号送出装置が前記ブザー音発生指令信号を受けた場合にブザー音発生信号を送出して前記ブザー音発生装置にブザー音を発生させることを特徴とする空港用手荷物管理システム。
【発明の詳細な説明】
【０００１】
【産業上の利用分野】
本発明は、空港内において航空機内預かり手荷物の預け入れ及び受け取りを行う空港用手荷物管理システムに関する。
【０００２】
【従来の技術】
従来、出発空港における航空機内預かり手荷物の預け入れは、月日、航空便名、出発地、到着地、通し番号等を記載した同一の２枚の紙製タグのうち、１枚を手荷物に装着し、他の１枚を搭乗者に手渡して行われていた。
【０００３】
また、到着空港における該手荷物の受け取りは、手荷物受け取りターンテーブル上をランダムに移動している手荷物を、搭乗者が先ず目で確認し、ターンテーブルから降ろし、出発時に手荷物に装着したタグと搭乗者が持っているタグとを照合した後、手荷物受け取りカウンター出口に待機している係員が２枚のタグを更に照合して行われていた。
【０００４】
【発明が解決しようとする課題】
しかしながら、前記従来の空港用手荷物管理方法では、特に、手荷物の受け取り時に、従来の方法では、搭乗者は自分の手荷物がターンテーブル上をいつ移動して来るのか判らず、あるいは、自分の手荷物を発見した後、ターンテーブルの周囲にいる人々の中をかきわけて、受け取ろうとするターンテーブル近くに素早く移動しなければならないという心理的圧迫があったり、あるいは、自分の手荷物と類似した鞄や紙袋等と間違えるという問題があった。  本発明の目的は、航空機搭乗者にとって安心かつ便利である空港用手荷物管理システムを提供することにある。
【０００５】
【課題を解決するための手段】
本発明は、出発地空港における手荷物預け入れシステムと、到着地空港における手荷物受け取りシステムと手荷物照合システムとを具備し、前記手荷物預け入れシステムは、月日と航空便名と出発地名と到着地名と識別番号とからなる識別データをライトおよびリードすることができ送受信回路を有するトランスポンダタグと、前記識別データをライトおよびリードすることができ、かつ、位置データを表示するための位置データ表示部を有すると共に送受信回路を有するメモリチップと、前記識別データを入力するための識別データ入力装置と、この識別データ入力装置により入力される複数の前記識別データを一時的に記憶してこれらの識別データを順次に送り出す第１のコンピュータと、この第１のコンピュータから送り出される前記識別データを送信して前記トランスポンダタグおよび前記メモリチップに接触しないでライトする送信回路を有する識別データライト装置とを有し、前記手荷物受け取りシステムは、手荷物を載置された状態で一定方向へ移動する手荷物ターンテーブルと、この手荷物ターンテーブルの近くに配置され前記メモリチップに接触しないでこのメモリチップの識別データをリードするチップデータリード装置と、前記手荷物ターンテーブルの受け取り領域を複数の領域に区割りするために配置され区割り符号を付された複数の区割りゲートと、これらの区割りゲートの近くを手荷物が通過する時にこの手荷物に取り付けられた前記トランスポンダタグの識別データをリードする複数のタグデータリード装置と、前記チップデータリード装置からの識別データと前記タグデータリード装置からの識別データに基いて手荷物がどの２つの区割りゲートの間に位置するかを判断してこの判断結果である位置データを生成する第２のコンピュータと、この第２のコンピュータからの位置データを前記メモリチップの位置データ表示部に表示させる位置データ送信装置とを有し、前記手荷物照合システムは、前記手荷物に取り付けられたトランスポンダタグの識別データと前記メモリチップの識別データとをリードする照合データリード装置と、この照合データリード装置からの前記トランスポンダタグの識別データと前記メモリチップの識別データとが一致するか否かを判断してこの判断結果である照合結果データを生成する第３のコンピュータと、この第３のコンピュータの照合結果データを表示する照合結果表示装置とを有することを特徴とする。
【０００６】
【実施例】
次に、本発明の実施例を図面に基いて詳細に説明する。
【０００７】
本発明の空港用手荷物管理システムは、出発地空港における荷物預け入れシステムと、到着地空港における手荷物受け取りシステムと手荷物照合システムとを具備する。
【０００８】
図１に示すように、前記手荷物預け入れシステムは、送受信回路を有するトランスポンダタグ１と、メモリチップとしての送受信回路を有する非接触型のＩＣカード２と、識別データ入力装置３と、第１のコンピュータ４と、送信回路を有する識別データライト装置５とを有する。前記トランスポンダタグ１は、月日と航空便名と出発地名と到着地名と識別番号（通し番号）とからなる識別データをライトおよびリードすることができる。前記ＩＣカード２は、前記識別データをライトおよびリードすることができ、かつ、位置データを表示するための位置データ表示部６を有する。前記識別データ入力装置３は、航空会社係員が前記識別データを入力するためのものである。前記第１のコンピュータ４は、識別データ入力装置３により入力される複数の前記識別データを一時的に記憶してこれらの識別データを順次に送り出す。前記識別データライト装置５は、第１のコンピュータ４から送り出される前記識別データを送信して前記トランスポンダタグ１および前記ＩＣカード２に接触しないでライトする。
【０００９】
この手荷物預け入れシステムにおいては、出発地空港において航空会社係員が識別データ入力装置３を操作して前記識別データを入力することのより、トランスポンダタグ１とＩＣカード２に前記識別データを記録し、次にＩＣカード２は搭乗者が所持し、トランスポンダタグ１は手荷物に取り付けられて、手荷物の預け入れが完了する。
【００１０】
一方、到着空港における前記手荷物受け取りシステムは、図２および図３に示すように、手荷物ターンテーブル７と、チップデータリード装置８と、複数の区割りゲート９Ａ〜９Ｇと、複数のタグデータリード装置１０Ａ〜１０Ｇと、第２のコンピュータ１１と、位置データ送信装置１２とを有する。
【００１１】
前記手荷物ターンテーブル７は、手荷物１３を載置された状態で矢印Ａ方向へ移動して手荷物を搬送する。前記チップデータリード装置８は、前記ＩＣカード２に接触しないでこのＩＣカード２の識別データをリードする。前記区割りゲート９Ａ〜９Ｇは、手荷物ターンテーブル７の受け取り領域を複数の領域に区割りするために所定間隔をおいて配置され区割り符号を付されている。前記タグデータリード装置１０Ａ〜１０Ｇは、区割りゲートの近くを手荷物１３が通過する時にこの手荷物に取り付けられた前記トランスポンダタグ１の識別データをリードする。前記第２のコンピュータ１１は、前記チップデータリード装置８からの識別データと前記タグデータリード装置１０Ａ〜１０Ｇからの識別データに基いて手荷物１３がどの区割りゲート９Ａ〜９Ｇの間に位置するかを判断してこの判断結果である位置データを生成する。前記位置データ送信装置１２は、第２のコンピュータ１１からの位置データを前記ＩＣカード２の位置データ表示部６に表示させる。従って、搭乗者は、自分の手荷物の手荷物ターンテーブル上における現在位置を手荷物を目視せずにＩＣカード２の位置データ表示部６を見るのとにより認識することが可能となる。
【００１２】
前記手荷物照合システムは、図４に示すように、照合データリード装置１４と、第３のコンピュータ１５と、照合結果表示装置１６とを有する。前記照合データリード装置１４は、手荷物に取り付けられたトランスポンダタグ１の識別データと前記ＩＣカード２の識別データとをリードする。前記第３のコンピュータ１５は、照合データリード装置１４からの前記トランスポンダタグ１の識別データと前記ＩＣカード２の識別データとが一致するか否かを判断してこの判断結果である照合結果データを生成する。前記照合結果表示装置１６は、第３のコンピュータ１５の照合結果データを表示する。従って、航空会社係員は、照合結果表示装置１６の照合結果データを見ることにより正確に速く搭乗者が自分の手荷物を所持しているか否かを判別することができる。
【００１３】
前記空港用手荷物管理システムにおいて、前記ＩＣカード２に、図１、図３および図４に示すように、手荷物を受け取りたい領域がどの区割りゲート９Ａ〜９Ｇの間であるかを示す受け取り区域データを前記ＩＣカード２に入力する受け取り区域データ入力装置１７と、ブザー音を発生するブザー音発生装置１８とを付加し、前記手荷物受け取りシステムは、図３に示すようにブザー音発生信号を送出するブザー音発生信号送出装置１９を有し、前記チップデータリード装置８が前記の受け取り区域データをリードして前記第２のコンピュータ１１に与え、この第２のコンピュータ１１が前記受け取り区域データが示す領域に手荷物が位置しているか否かを判断して前記受け取り区域データが示す領域に手荷物が位置している時にブザー音発生指令信号を生成し、かつ、前記ブザー音発生信号送出装置１９が前記ブザー音発生指令信号を受けた場合にブザー音発生信号を送出して前記ブザー音発生装置１８にブザー音を発生させるようにしてもよい。
【００１４】
この場合には、搭乗者は、自分の手荷物を受け取りたい区間を示す受け取り区域データを予め所持する非接触型のＩＣカード２の受け取り区域データ入力装置１７により入力しておくことにより、手荷物がＩＣカード２に設けられたブザー音発生装置１８のブザー音により所望の区間に手荷物があることを認識することができる。
【００１５】
なお、搭乗者が持つ端末（ペイジャ）としては、ＩＣカードタイプ以外に、ペンにブザーをつけたものや、モニタ等が利用できる。
【００１６】
本発明において用いられる非接触型ＩＣカード及びトランスポンダタグの伝送手段としては、電磁誘導（電磁結合）手段、電波（電磁波）手段、光学手段、超音波手段、静電誘導方手段等のうちの何れの手段を用いてもよい。
【００１７】
【発明の効果】
本発明によれば、到着地空港における手荷物の受け取り時において、搭乗者は、手荷物ターンテーブル上おける自分の手荷物の現在位置を手荷物を目で追うことなしに、自分が所持しているＩＣカード上の表示で確認することが可能となる。
【００１８】
また、本発明によれば、搭乗者は、手荷物ターンテーブルの自分が受け取りたい区間を、予め自分が所持しているＩＣカードに入力しておくことにより、該当する区間に手荷物が来たかどうかをＩＣカードに設けたブザー音発生装置のブザー音によって認識することが可能となる。
【００１９】
更に、手荷物に装着したトランスポンダタグと搭乗者が所持している非接触型のＩＣカードとの照合を電気的に行うことができるので、搭乗者が自分の手荷物と類似した鞄や紙袋等と間違える不具合が解消される。
【００２０】
すなわち、本発明によれば、航空機搭乗者にとって安心かつ便利である空港用手荷物管理システムを提供することができる。
【図面の簡単な説明】
【図１】本発明の実施例ににおける手荷物預け入れシステムの構成を示すブロック図である。
【図２】本発明の実施例における手荷物受け取りシステムの概略を示す概略図である。
【図３】本発明の実施例における手荷物受け取りシステムの構成を示すブロック図である。
【図４】本発明の実施例における手荷物照合システムを示すブロック図である。
【符号の説明】
１      トランスポンダタグ
２      ＩＣカード
３      識別データ入力装置
４      第１のコンピュータ
５      識別データライト装置
６      位置データ表示部
７      手荷物ターンテーブル
８      チップデータリード装置
９Ａ〜９Ｇ      区割りゲート
１０Ａ〜１０Ｇ      タグデータリード装置
１１      第２のコンピュータ
１２      位置データ送信装置
１３      手荷物
１４      照合データリード装置
１５      第３のコンピュータ
１６      照合結果表示装置
１７      受け取り区域データ入力装置
１８      ブザー音発生装置
１９      ブザー音発生信号送出装置
【図１】
0003567336.tif 000002
【図２】
0003567336.tif 000003
【図３】
0003567336.tif 000004
【図４】
0003567336.tif 000005